(57)【要約】【課題】永久磁石やヨークが光ディスクと衝突することを防止しつつ、対物レンズ駆動装置を小型化する。【解決手段】対物レンズ駆動装置３０は、ヨークベース４１と、ヨークベース４１上に設けられたレンズホルダ４２と、レンズホルダ４２の上部中央に設けられた対物レンズ２５と、レンズホルダ４２の両側に設けられた永久磁石４３ａ、４３ｂと、レンズホルダ４２の両側に配線されたワイヤ４４と、樹脂製のワイヤベース４５及びヨークカバー４６とを備えている。ヨークカバー４６は、ヨークベース４１の立設部４１ｂ及び永久磁石４３ｂの上面を保護するカバーとしての役割のみならず、レンズホルダ４２の移動範囲を制限するストッパとしての役割を果たす。そのため、レンズホルダ４２の側面にはストッパ片５４が設けられており、ヨークカバー４６の側面には、ストッパ片５４と当接する上部係止片４６ａ及び下部係止片４６ｂが設けられている。【選択図】図４
2008041196.tif 000002
【特許請求の範囲】
【請求項１】
対物レンズを保持するレンズホルダと、
前記レンズホルダに取り付けられた駆動用コイルと、
前記駆動用コイルに対する磁束を発生させる永久磁石と、
前記永久磁石が取り付けられるベース部材と、
前記レンズホルダを揺動自在に支持する支持部材と、
前記支持部材の一端が固定される固定部材と、
前記ベース部材の立設部に取り付けられた樹脂製のヨークカバーとを備え、
前記ヨークカバーの上面は、前記ベース部材の立設部及び前記永久磁石の上面よりも高いことを特徴とする対物レンズ駆動装置。
【請求項２】
前記レンズホルダ及び前記ヨークカバーのいずれか一方に設けられ、他方側に突出させて前記レンズホルダのトラッキング方向の移動範囲を制限するストッパ片と、
前記他方に設けられ、前記ストッパ片の少なくともフォーカス方向の移動範囲を制限する係止片とを備えることを特徴とする請求項１に記載の対物レンズ駆動装置。
【請求項３】
前記ヨークカバーは、前記立設部に対して着脱可能な構造を有することを特徴とする請求項１又は２に記載の対物レンズ駆動装置。
【請求項４】
前記ヨークカバーは、前記立設部の厚みと同等の幅を有する間隙部を備え、前記間隙部に前記立設部が嵌り込む構造を有することを特徴とする請求項３に記載の対物レンズ駆動装置。
【請求項５】
レーザ光源と、
前記レーザ光源から放射されたレーザ光を光ディスクの記録面に集光させる対物レンズと、
前記光ディスクからの反射光を受光する受光部と、
前記対物レンズを駆動する請求項１乃至４のいずれか一項に記載の対物レンズ駆動装置とを備えることを特徴とする光ピックアップ。
【請求項６】
光ディスクを回転させるためのスピンドル機構と、
前記光ディスクの径方向に移動自在に設けられた請求項５に記載の光ピックアップと、
前記光ピックアップを制御する制御部とを備えることを特徴とする光記録再生装置。
【発明の詳細な説明】
【技術分野】
【０００１】
本発明は、対物レンズ駆動装置、及びこれを用いた光ピックアップ並びに光記録再生装置に関するものである。
【背景技術】
【０００２】
対物レンズ駆動装置としては、対物レンズ及び駆動用コイルが装着されたレンズホルダを複数のワイヤで揺動自在に支持すると共に、レンズホルダの近傍に永久磁石を配置し、ワイヤ経由で駆動用コイルに電流を供給して対物レンズの状態を制御するワイヤ支持タイプの対物レンズ駆動装置が主流である。この種の対物レンズ駆動装置は、通常、対物レンズの上面を開口させたカバーで覆われている。このカバーは、永久磁石やヨークが光ディスクと衝突することでの光ディスクの損傷を防止したり、製造時において作業者の指がワイヤに接触することによるワイヤの変形、或いはワイヤ緩衝用のダンパ材に触れることによるダンパ材の減少や変質を防止したりするために設けられるものである。例えば、特許文献１に示されたカバーは、対物レンズ駆動装置本体の上面、内周側の側面及び外周側の側面をそれぞれ覆う形状を有している。
【特許文献１】特開平９−１８０２２３号公報
【発明の開示】
【発明が解決しようとする課題】
【０００３】
近年、光ディスクの大容量化により、データの記録再生速度の高速化に対する要求は益々高まる傾向にある。記録再生速度の高速化に伴い、スピンドルモータの大型化は避けられない状況にあり、スピンドルモータの径方向の占有スペースが拡大しつつある。このように、スピンドルモータの占有スペースが拡大する状況において、上述した従来構造の光ピックアップをそのまま採用した場合には、対物レンズ駆動装置を光ディスクの最内周まで移動させることができないという問題がある。また、カバーとスピンドルモータとの衝突を防ぐため、カバーの内周側の側板部をスピンドルモータの外周形状に合わせて弧状に湾曲させると、レンズホルダの可動範囲が制限されるという問題がある。
【０００４】
したがって、本発明の目的は、小型でありながら、永久磁石やヨークが光ディスクと衝突することを防止することが可能な対物レンズ駆動装置、さらに、当該装置を用いた光ピックアップ並びに光記録再生装置を提供することにある。
【課題を解決するための手段】
【０００５】
本発明の上記目的は、対物レンズを保持するレンズホルダと、前記レンズホルダに取り付けられた駆動用コイルと、前記駆動用コイルに対する磁束を発生させる永久磁石と、前記永久磁石が取り付けられるヨークベースと、前記レンズホルダを揺動自在に支持すると共に、前記駆動用コイルに電流を供給するワイヤと、前記ワイヤの一端が固定されるワイヤベースと、前記ヨークベースの立設部に取り付けられた樹脂製のヨークカバーとを備え、前記ヨークカバーの上面は、前記ヨークベースの立設部及び前記永久磁石の上面よりも高いことを特徴とする対物レンズ駆動装置によって達成される。
【０００６】
本発明の対物レンズ駆動装置によれば、対物レンズ駆動装置全体をカバーで覆うのではなく、ヨークベースの立設部や永久磁石といった必要な部分のみを覆うことで、カバーを省略することによる不具合を回避しつつ、装置全体の小型化を図ることができる。つまり、対物レンズ駆動装置が光ディスクと衝突するようなことがあっても、ヨークカバーが光ディスクと衝突し、ヨークベースの立設部や永久磁石といった金属部分が光ディスクと衝突することがないため、ディスク面への衝撃を大いに軽減することができる。
【０００７】
本発明においては、レンズホルダ及びヨークカバーのいずれか一方に設けられ、他方側に突出させてレンズホルダのトラッキング方向の移動範囲を制限するストッパ片と、他方に設けられ、ストッパ片の少なくともフォーカス方向の移動範囲を制限する係止片とを備えることが好ましい。これによれば、ヨークカバーが対物レンズの可動範囲を制限する手段を兼ねることができ、小型で高性能な対物レンズ駆動装置を実現することができる。
【０００８】
本発明において、ヨークカバーは、立設部に対して着脱可能な構造を有することが好ましく、ヨークカバーは、立設部の厚みと同等の幅を有する間隙部を備え、間隙部に立設部が嵌り込む構造を有することが好ましい。これによれば、簡易な構成でありながら、ヨークベースの立設部にヨークカバーを確実に取り付けることができる。特に、ヨークベースに対するヨークカバーの仮止め固定が確実となるので、接着等の作業が容易となる。
【０００９】
本発明の上記目的はまた、レーザ光源と、レーザ光源から放射されたレーザ光を光ディスクの記録面に集光させる対物レンズと、光ディスクからの反射光を受光する受光部と、対物レンズを駆動する上記対物レンズ駆動装置とを備えることを特徴とする光ピックアップによって達成される。
【００１０】
本発明の上記目的はまた、光ディスクを回転させるためのスピンドル機構と、光ディスクの径方向に移動自在に設けられた上記光ピックアップと、光ピックアップを制御する制御部とを備えることを特徴とする光記録再生装置によっても達成される。
【発明の効果】
【００１１】
このように、本発明によれば、永久磁石やベース等の金属部材に樹脂製カバーを設けることで光ディスクと衝突した際の衝撃を軽減しつつ、さらに小型化された対物レンズ駆動装置を提供することができ、さらに、当該装置を用いた光ピックアップ並びに光記録再生装置を提供することができる。
【発明を実施するための最良の形態】
【００１２】
以下、添付図面を参照しながら、本発明の好ましい実施の形態について詳細に説明する。
【００１３】
図１は、本発明の好ましい実施形態に係る光記録再生装置の構成を概略的に示すブロック図である。
【００１４】
図１に示すように、光記録再生装置１０は、光ディスク１１を回転させるためのスピンドルモータ１２と、光ディスク１１にレーザ光を照射するとともにその反射光を受光する光ピックアップ２０と、スピンドルモータ１２及び光ピックアップ２０の動作を制御するコントローラ１３と、光ピックアップ２０にレーザ駆動信号を供給するレーザ駆動回路１４と、光ピックアップ２０にレンズ駆動信号を供給するレンズ駆動回路１５とを備えている。
【００１５】
コントローラ１３にはフォーカスサーボ追従回路１６、トラッキングサーボ追従回路１７及びレーザコントロール回路１８が含まれている。フォーカスサーボ追従回路１６が作動すると、回転している光ディスク１１の情報記録面にフォーカスがかかった状態となり、トラッキングサーボ追従回路１７が作動すると、光ディスク１１の偏芯している信号トラックに対して、レーザ光のスポットが自動追従状態となる。フォーカスサーボ追従回路１６及びトラッキングサーボ追従回路１７には、フォーカスゲインを自動調整するためのオートゲインコントロール機能及びトラッキングゲインを自動調整するためのオートゲインコントロール機能がそれぞれ備えられている。また、レーザコントロール回路１８は、レーザ駆動回路１４により供給されるレーザ駆動信号を生成する回路であり、光ディスク１１に記録されている記録条件設定情報に基づいて、適切なレーザ駆動信号の生成を行う。
【００１６】
なお、これらフォーカスサーボ追従回路１６、トラッキングサーボ追従回路１７及びレーザコントロール回路１８については、コントローラ１３内に組み込まれた回路である必要はなく、コントローラ１３と別個の部品であっても構わない。さらに、これらは物理的な回路である必要はなく、コントローラ１３内で実行されるソフトウェアであっても構わない。  
【００１７】
図２は、光ピックアップ２０の構成を示す模式図である。
【００１８】
図２に示すように、光ピックアップ２０は、レーザ光源２１と、レーザ光源２１からのレーザ光を複数のビームに分割する回折格子２２と、回折格子２２から出射したレーザ光を平行光にするコリメートレンズ２３と、平行光にされたレーザ光を光ディスク１１側へ導くミラー２４と、レーザ光をディスク面に収束させる対物レンズ２５と、光ディスク１１からの反射光を受光素子２８側へ導くビームスプリッタ２６と、ビームスプリッタ２６からの反射光を収束させるアナモフィックレンズ２７と、アナモフィックレンズ２７によって収束された反射光を受光する受光素子２８とを備えている。そして、光ディスク１１に対する対物レンズ２５の位置は、対物レンズ駆動装置３０によって高精度に制御される。詳細には、対物レンズ２５をフォーカス方向へ駆動することにより、光ディスク１１の記録面にビームスポットの焦点を合わせるフォーカス補正が行われ、トラッキング方向へ駆動することにより、光ディスク１１のトラックにビームスポットを追従させるトラッキング補正が行われる。また、タンジェンシャル方向を回転軸にして対物レンズ２５をトラッキング方向に回転させることにより、ディスクの反りに対応するチルト角の補正が行われる。
【００１９】
図３は、光ピックアップ２０とスピンドルモータ１２との位置関係を示す略平面図である。
【００２０】
図３に示すように、光ピックアップ２０は、光ディスクの径方向と平行に設置された２本のガイドシャフト３１、３１に沿って移動可能に構成されたハウジング３２と、ハウジング３２上に設けられた対物レンズ駆動装置３０と、対物レンズ駆動装置３０内に設けられた対物レンズ２５と、レーザー駆動回路等の制御基板３３とを備えている。また、図中に示されていないが、ハウジング３２にはレーザ光源２１やビームスプリッタ２６といった光学部品も搭載されている。
【００２１】
スピンドルモータ１２と向き合ったハウジング３２のトラック方向の内周側の一辺は、スピンドルモータ１２の外周面に合わせて緩やかに湾曲した湾曲部３２ａを有しており、光ピックアップ２０を光ディスク（不図示）の内周方向に近づけることが可能である。対物レンズ駆動装置３０はこの湾曲部３２ａ付近に設けられており、対物レンズ駆動装置３０もまた、スピンドルモータ１２との対向面がスピンドルモータ１２の外周面に合わせて湾曲した形状を有している。したがって、光ディスクの最内周まで対物レンズ２５を移動させてもスピンドルモータ１２と接触しないような設計になっている。
【００２２】
図４は、対物レンズ駆動装置３０の構成を示す略斜視図である。
【００２３】
図４に示すように、対物レンズ駆動装置３０は、ベース部材としてのヨークベース４１と、ヨークベース４１上に設けられたレンズホルダ４２と、レンズホルダ４２の上部中央に設けられた対物レンズ２５と、レンズホルダ４２のタンジェンシャル方向の両側に設けられた永久磁石４３ａ、４３ｂと、レンズホルダ４２のトラッキング方向の両側に配線されたワイヤ４４と、レンズホルダ４２から見て永久磁石４３ａ側に設けられた樹脂製のワイヤベース４５と、レンズホルダ４２から見て永久磁石４３ｂ側に設けられた樹脂製のヨークカバー４６とを備えている。
【００２４】
図５は、ヨークベース４１単体の構成を示す略斜視図である。
【００２５】
図５に示すように、ヨークベース４１は磁性材料からなり、その一部を垂直に折り曲げることにより形成された対向する２つの立設部４１ａ、４１ｂを有している。また、ヨークベース４１の一辺には、スピンドルモータ１２の外周面に合わせて湾曲した湾曲部４１ｃが形成されている。さらに、立設部４１ｂの左右両側にはヨークカバー係止用の凸部（耳部）４１ｄが設けられている。永久磁石４３ａ、４３ｂは、以上の構成を有するヨークベース４１の立設部４１ａ、４１ｂにそれぞれ取り付けられ、レンズホルダ４２のタンジェンシャル方向にそれぞれ配置される。これにより、ヨークベース４１の立設部４１ａ、４１ｂは永久磁石４３ａ、４３ｂに対するヨークとして機能し、永久磁石４３ａ、４３ｂはレンズホルダ４２に取り付けられたコイルをタンジェンシャル方向に貫き、フォーカス方向及びトラッキング方向に出て行く磁束を発生させている。
【００２６】
図６は、レンズホルダ４２の構成を示す略斜視図である。
【００２７】
図６に示すように、レンズホルダ４２は略ブロック形状を有しており、液晶ポリマーのような曲げ弾性率の高い比較的軽量な材料により構成されている。レンズホルダ４２の上面から下面にかけた中央部にはレーザ光を通過させる円孔が設けられており、その上部に対物レンズ２５が固着されている。レンズホルダ４２のタンジェンシャル方向の両側面の中央にはタンジェンシャル方向を軸として巻回されたトラッキングコイル４８が設けられており、トラッキングコイル４８の両側にはタンジェンシャル方向を軸として巻回されたフォーカスコイル４８が設けられている。さらに、フォーカス方向を軸としてレンズホルダ４２の側面を周回するようにチルトコイル４９が設けられている。
【００２８】
ワイヤ４４は、レンズホルダ４２を揺動自在に支持する弾性支持部材であると共に、トラッキングコイル４７、フォーカスコイル４８及びチルトコイル４９に電流を供給する役割を果たすものであり、レンズホルダ４２の両側にそれぞれ３本ずつ、合計６本配線されている。
【００２９】
図７は、対物レンズ駆動装置３０の構成を示す側面図である。
【００３０】
図７に示すように、各ワイヤ４４の一端４４ａは、ワイヤベース４５の背面に設けられたプリント基板５０上に半田付けにより固定されている。ワイヤベース４５の側面であって、プリント基板５０からレンズホルダ４２に向けてワイヤ４４が延びる一定の範囲には、ゲル状物質からなるダンパ材が充填されたダンパ材収容ボックス５１が設けられており、ワイヤ４４はこのダンパ材収容ボックス５１内を貫通して設けられている。これにより、ワイヤ４４はダンパ材に包持された状態となり、このダンパ材によりワイヤ４４の振動が緩衝される。
【００３１】
一方、ワイヤ４４の他端４４ｂは、各駆動用コイル４７〜４９の端末巻き付け用突起５２に半田付けにより固定され、各駆動用コイル４７〜４９の端末に電気的に接続されている。さらに、レンズホルダ４２の側面には位置決め用突起５３設けられており、ワイヤ４４の途中は、位置決め用突起５３の先端部に設けられたＶ溝５３ａに嵌合された状態となっている。こうして、レンズホルダ４２はワイヤ４４によって弾性的に支持され、ヨークベース４１から浮いた状態を保っている。
【００３２】
図４に示すワイヤベース４５は、上述の通り、ワイヤ４４の一端を固定するための固定部材として用いられるのみならず、ワイヤ４４を保護する役割を果している。そのため、ワイヤベース４５は、その側面部分がワイヤ４４の配線方向に延設された形状を有し、タンジェンシャル方向に延びるワイヤを部分的に覆うワイヤカバー部４５ａを有している。従来のように装置全体がカバーで覆われている場合には、ワイヤ４４を確実に保護することができるが、装置の小型化のためカバーを省略した場合にはワイヤが露出し、ワイヤの変形、ダンパ材の減少等の不具合が発生するおそれがある。しかし、本実施形態のようにワイヤベース４５にワイヤカバー部４５ａを設け、ワイヤベース４５自体にワイヤの保護構造を設けることにより、上述の不具合を発生させることなく装置の小型化を図ることができる。なお、ワイヤカバー部４５ａは、タンジェンシャル方向に延びるワイヤの配線範囲全体を覆っている必要はなく、一部分を覆っていればよい。つまり、ワイヤカバー部４５ａは、ハンドリング時に、ワイヤの弾性部材としての役割を果たす部分を触ることができないような範囲を覆っていればよい。このように、必要最小限の範囲を保護することにより、対物レンズ駆動装置の小型化を図ることができ、光ピックアップへの取り付け時における取り扱いを容易にすることができる。
【００３３】
また、本実施形態のワイヤカバー部４５ａは、ワイヤの他端に近づくほど厚みが薄くなるテーパー形状を有している。このようにすることで、同じ径のモーターで比較した場合に、ワイヤカバー部の長さをより長くすることができ、安全性が向上する。ただし、上述の通り、ワイヤカバー部４５ａがワイヤ全体を保護する必要はない。
【００３４】
ワイヤベース４５はさらに、ヨークベース４１の一方の立設部４１ａ及び永久磁石４３ａの上面を保護する役割を果たしている。そのため、ワイヤベース４５の上面は、永久磁石４３ａやヨークベースの立設部４１ａの上面よりも高く設定されており、ワイヤベース４５の角部はラウンド状に面取りされている。従来のように装置全体が樹脂カバーで覆われている場合には、対物レンズ駆動装置が光ディスクと衝突したとしても、装置全体を覆うカバーが光ディスクと衝突するため、ディスク面を過度に傷つけることはないが、装置の小型化のためカバーを省略した場合には、ヨークベース４１の立設部４１ａや永久磁石４３ａといった金属部分が露出するため、ディスク面を傷つけるおそれがある。しかし、本実施形態のようにワイヤベース４５の高さをヨークベースの立設部４１ａや永久磁石４３ａの上面よりも高くすることにより、金属部分とディスク面との接触を防止することができる。
【００３５】
本実施形態のヨークカバー４６は、ワイヤベース４５と同様、ヨークベース４１の他方の立設部４１ｂ及び永久磁石４３ｂの上面を保護する役割を果たしており、立設部４１ｂ及び永久磁石４３ｂの角部を部分的に覆っている。そして、ヨークカバー４６の上面は、永久磁石４３ｂやヨークベースの立設部４１ｂの上面よりも高く、ヨークカバー４６の角部はラウンド状に面取りされている。従来のように装置全体が樹脂カバーで覆われている場合には、対物レンズ駆動装置が光ディスクと衝突するようなことがあっても、装置全体を覆う樹脂カバーが光ディスクと衝突するため、ディスク面を傷つけることはないが、装置の小型化のためカバーを省略した場合には、ヨークベースの立設部４１ｂや永久磁石４３ｂといった金属部分が露出するため、ディスク面を過度に傷つけるおそれがある。
【００３６】
ここで、一方の立設部４１ａ及び永久磁石４３ａについては、上述の通り、既存のワイヤベース４５を利用することも可能であるが、他方の立設部４１ｂ及び永久磁石４３ｂについては、利用可能な既存の部材が存在しない。したがって、本実施形態のように、立設部４１ｂ及び永久磁石４３ｂのみを覆うヨークカバー４６を新たに設け、ヨークカバー４６の高さをヨークベースの立設部４１ｂ永久磁石４３ｂやの上面よりも高くすることにより、そのような問題を解消することができる。
【００３７】
本実施形態のヨークカバー４６はまた、上述のカバーとしてのみならず、レンズホルダの移動範囲を制限するストッパとしての役割を果たす。
【００３８】
図７に示したように、レンズホルダ４２の側面には、ヨークカバー４６に向けてワイヤの配線方向に延びるストッパ片５４が設けられている。本実施形態のストッパ片５４は、中段の端末巻き付け用突起５２と一体的に形成されている。一方、ヨークカバー４６の側面には、上部係止片４６ａ及び下部係止片４６ｂが設けられており、ストッパ片５４は上部係止片４６ａと下部係止片４６ｂの中間位置にある。レンズホルダ４２がフォーカス方向に大きく変位しようとしたとき、ストッパ片５４が上部係止片４６ａ又は下部係止片４６ｂに当接するので、フォーカス方向の変位を制限することができる。また、レンズホルダ４２がトラッキング方向に大きく変位しようとしたとき、ストッパ片５４が永久磁石側面に当接するので、トラッキング方向の変位を制限することができる。さらに、チルト角についても、ストッパ片５４が上部係止片４６ａ、下部係止片４６ｂ、又は永久磁石側面に当接することによって、その変位量を制限することができる。したがって、各コイルと永久磁石との衝突を防止することができる。
【００３９】
図８は、レンズホルダ４２のトラック方向の変位について説明するための略断面図である。
【００４０】
図８に示すように、ストッパ片５４は、永久磁石４３ｂの側面と所定の隙間ｄ１を隔てて設けられている。なお、レンズホルダ４２及び対物レンズ２５は破線で示されており、永久磁石４３ｂは矩形状の一点鎖線で示されている。レンズホルダ４２が矢印で示すフォーカス方向に大きく変位しようとしたとき、ストッパ片５４が上部係止片４６ａ又は下部係止片４６ｂに当接するので、フォーカス方向の変位を制限することができる。また、レンズホルダ４２が矢印で示すトラッキング方向に大きく変位しようとしたとき、ストッパ片５４が永久磁石４３ｂの側面４３ｓに当接するので、トラッキング方向の変位を制限することができる。さらに、チルト角についても、ストッパ片５４が上部係止片４６ａ、下部係止片４６ｂ、又は永久磁石４３ｂの側面４３ｓに当接することによって、その変位を制限することができる。
【００４１】
図９は、ヨークカバー４６単体の構成を示す略斜視図である。
【００４２】
図９に示すように、ヨークカバー４６は、ヨークベースの立設部の主面を覆う背板部４６Ｘと、立設部の側面を覆う側面部４６Ｙ、４６Ｙとを備え、側面部４６Ｙには上部係止片４６ａ、下部係止片４６ｂが設けられている。また、上部係止片４６ａと下部係止片４６ｂとの間が、立設部４１ｂに設けられた凸部（耳部）４１ｄ（図５参照）の受け口として形成されており、背板部４６Ｘと上部係止片４６ａとの間には、立設部４１ｂの厚みと略同一の幅Ｗ１を有し、ヨークカバー４６を嵌入可能な間隙部４６ｄが形成されている。ヨークカバー４６は、矢印Ｐで示すように、立設部４１ｂに対してタンジェンシャル方向からセットされ、立設部４１ｂに設けられた凸部（耳部）４１ｄはヨークカバー４６の受け口から挿入される。その後、ヨークカバー４６が下方に押し下げられ、耳部４１ｄが間隙部４６ｄに嵌め込まれることにより、ヨークカバー４６は立設部４１ｂに取り付けられ、ヨークベースの立設部４１ｂ及び永久磁石４２ｂがヨークカバー４６で保護された状態となる。このように、本実施形態のヨークカバー４６によれば、簡易な構成でありながら、ヨークベースの立設部に対する仮止め固定が確実となるので、接着等の作業が容易となる。
【００４３】
以上説明したように、本実施形態の対物レンズ駆動装置３０によれば、対物レンズ駆動装置全体をカバーで覆うのではなく、ヨークベースの立設部４１ｂや永久磁石４３ｂといった必要な部分のみを覆うことで、カバーを省略することによる不具合を回避しつつ、装置全体の小型化を図ることができる。つまり、対物レンズ駆動装置が光ディスクと衝突するようなことがあっても、ヨークカバー４６が光ディスクと衝突し、ヨークベースの立設部４１ｂや永久磁石４３ｂといった金属部分が光ディスクと衝突することがないため、ディスク面への衝撃を大いに軽減することができる。
【００４４】
また、ヨークカバー４６が対物レンズ２５の可動範囲を制限する手段を兼ねることから、そのような手段を別途設ける必要がなく、小型で高性能な対物レンズ駆動装置を実現することができる。さらにまた、ヨークカバー４６が立設部の厚みと同等の幅を有する間隙部４６ｄを備え、間隙部４６ｄに立設部４１ｂが嵌り込む構造を有し、ヨークカバー４６がヨークベースの立設部４１ｂに対して着脱可能であることから、簡易な構成でありながら、ヨークベースの立設部４１ｂにヨークカバー４６を確実に取り付けることができる。特に、ヨークベースに対するヨークカバーの仮止め固定が確実となるので、接着等の作業が容易となる。
【００４５】
本発明は、以上の実施形態に限定されることなく、本発明の趣旨を逸脱しない範囲内で種々の変更を加えることが可能であり、それらも本発明の範囲内に包含されるものであることは言うまでもない。
【００４６】
例えば、上記実施形態においては、駆動用コイルとして、フォーカスコイル、トラッキングコイル、チルトコイルからなる３種類の駆動用コイルを備え、左右に３本ずつ、合計６本のワイヤを備えた対物レンズ駆動装置を例に挙げたが、本発明において駆動用コイルの数やワイヤの本数は特に限定されない。したがって、例えばチルトコイルを省略し、ワイヤを左右に２本ずつ、合計４本設けるようにしても構わない。
【００４７】
また、上記実施形態においては、レンズホルダ４２を揺動自在に支持する支持部材としてワイヤを用いているが、細長い板バネをレンズホルダ４２の支持部材として使用することも可能である。
【００４８】
また、上記実施形態においては、ワイヤベース４５自体がワイヤの保護構造を備える場合において、ヨークカバーが設けられている場合を例に挙げたが、本発明はこのような場合に限定されるものではなく、例えば、ワイヤの保護構造を有しないワイヤベース４５上に別途カバーを被せて、ヨーク、永久磁石及びワイヤを保護する構成において、ヨークカバーを設けた構成であっても構わない。
【図面の簡単な説明】
【００４９】
【図１】図１は、本発明の好ましい実施形態に係る光記録再生装置の構成を概略的に示すブロック図である。
【図２】図２は、光ピックアップ２０の構成を示す模式図である。
【図３】図３は、光ピックアップ２０とスピンドルモータ１２との位置関係を示す略平面図である。
【図４】図４は、対物レンズ駆動装置３０の構成を示す略斜視図である。
【図５】図５は、ヨークベース４１単体の構成を示す略斜視図である。
【図６】図６は、レンズホルダ４２の構成を示す略斜視図である。
【図７】図７は、対物レンズ駆動装置３０の構成を示す側面図である。
【図８】図８は、レンズホルダ４２の変位について説明するための略断面図である。
【図９】図９は、ヨークカバー４６単体の構成を示す略斜視図である。
【符号の説明】
【００５０】
１０    光記録再生装置
１１    光ディスク
１２    スピンドルモータ
１３    コントローラ
１４    レーザ駆動回路
１５    レンズ駆動回路
１６    フォーカスサーボ追従回路
１７    トラッキングサーボ追従回路
１８    レーザコントロール回路
２０    光ピックアップ
２１    レーザ光源
２２    回折格子
２３    コリメートレンズ
２４    ミラー
２５    対物レンズ
２６    ビームスプリッタ
２７    アナモフィックレンズ
２８    受光素子
３０    対物レンズ駆動装置
３１    ガイドシャフト
３２    ハウジング
３２ａ    ハウジングの一辺
３３    制御基板
４１    ヨークベース
４１ａ    ヨークベースの立設部
４１ｂ    ヨークベースの立設部
４２    レンズホルダ
４３ａ    永久磁石
４３ｂ    永久磁石
４４    ワイヤ
４４ａ    ワイヤの一端
４４ｂ    ワイヤの他端
４５    ワイヤベース
４５ａ    ワイヤカバー部
４６    ヨークカバー
４６ａ    上部係止片
４６ｂ    下部係止片
４７    トラッキングコイル（駆動用コイル）
４８    フォーカスコイル（駆動用コイル）
４９    チルトコイル（駆動用コイル）
５０    プリント基板
５１    ダンパ材収容ボックス
５２    端末巻き付け用突起
５３    位置決め用突起
５３ａ    Ｖ溝
【図１】
2008041196.tif 000003
【図２】
2008041196.tif 000004
【図３】
2008041196.tif 000005
【図４】
2008041196.tif 000006
【図５】
2008041196.tif 000007
【図６】
2008041196.tif 000008
【図７】
2008041196.tif 000009
【図８】
2008041196.tif 000010
【図９】
2008041196.tif 000011